(57)【要約】【課題】リレーの端子と接続する電線端末の端子が挿入係止されるキャビティ内に前記電線端末の端子を挿入する際、前記キャビティ内のランス部を直接目視して確認しなくても、挿入させる前記電線端末の端子の向きを容易に判断でき、その結果、端子の挿入作業性を向上させると共に、端子抜けの発生を防止する。【解決手段】差込型のリレーの端子と接続する電線端末の端子が挿入されるキャビティを備え、該キャビティを囲む周壁の一側内面の中央から前記電線端末の端子を係止するランス部が突設されている電気接続箱において、前記端子の挿入側開口を囲む前記キャビティの周壁端面に、前記ランス部の突設位置を示すランス位置表示用の凸部あるいは凹部を設けている。【選択図】図３
2008092615.tif 000002
【特許請求の範囲】
【請求項１】
差込型のリレーの端子と接続する電線端末の端子が挿入されるキャビティを備え、該キャビティを囲む周壁の一側内面の中央から前記電線端末の端子を係止するランス部が突設されている電気接続箱において、
前記端子の挿入側開口を囲む前記キャビティの周壁端面に、前記ランス部の突設位置を示すランス位置表示用の凸部あるいは凹部を設けていることを特徴とする電気接続箱。
【請求項２】
前記ランス位置表示用の凸部は、前記ランス部の突設位置の延長線上に位置させ、前記挿入側開口を囲む周壁の一側内面の中央から突設している請求項１に記載の電気接続箱。
【請求項３】
前記ランス位置表示用の凸部あるいは凹部は、前記ランス部を突設した一側壁と直交方向の周壁で且つ前記一側壁との連結位置に設けている請求項１に記載の電気接続箱。
【請求項４】
前記キャビティ内に挿入される前記電線端末に接続される端子は、電線圧着部に連続する電気接続部が平板部の両端から円弧状の折返部を設けた厚みの小さいファストンタイプであり、該ファストンタイプの端子を係止する前記ランス部は、前記折返部の電線圧着部側の先端に係止される小突起からなる請求項１乃至請求項３のいずれか1項に記載の電気接続箱。
【発明の詳細な説明】
【技術分野】
【０００１】
本発明は、電気接続箱に関するものであり、特に、リレーと接続する電線端末の端子の挿入方向の向きを容易に判断できるようにするものである。
【背景技術】
【０００２】
自動車に配索されるワイヤハーネスと接続される電気接続箱は、ケース本体にリレー等の電気部品を差込み接続できる構成とされている場合が多い。
例えば、図８に示すように、リレーボックス等においては、ケース１にキャビティ２が設けられており、キャビティ２に差込型のリレー３の端子３ａと１対１で接続される電線ｗ端末の端子４を開口２ａより挿入係止している。即ち、キャビティ２の周壁内面に突設されたランス部（係止部）２ｂを端子４の被係止部４ａに係止させることによって、電線ｗ端末の端子４をキャビティ２内に保持している。
リレー３の端子３ａは前記開口２と反対側のリレー端子挿入孔２ｃよりキャビティ２内に差し込まれ、キャビティ２内に収容保持された電線ｗ端末の端子４と嵌合することにより、リレー３の端子３ａと電線ｗ端末の端子４とが電気的に接続される（特開２００３−２７４５３８号公報参照）。
【０００３】
前記電線ｗ端末の端子４をキャビティ２に挿入する際には、端子４の被係止部４ａとランス部２ｂとが係合できる方向に端子４を向けて挿入する必要がある。しかしがら、キャビティ２の開口２ａは、単純な長方形形状を有する特徴のない構造であるために、作業者が手作業により電線ｗ端末の端子４をキャビティ２内に挿入する際に、挿入すべき端子４の向きを瞬時に判断することは困難である。
したがって、作業者はキャビティ２の開口２ａ面に対して垂直に近い角度で覗き込んで、キャビティ２の奥のランス部２ｂを目視により確認してから、ランス部２ｂに被係止部４ａが対向するような向きで端子４を挿入する必要があり、端子の挿入作業性が悪いという問題がある。
また、キャビティ２を覗き込んでも奥の方まで光が入らないためランス部２ｂの位置が確認しにくく、誤った向きに端子４を挿入してしまうケースも多い。その場合には端子挿入のやり直し作業が必要となり更に作業性が悪化すると共に、誤った向きに端子４を挿入したことに気が付かない場合には、後で端子抜けが生じてしまうという問題もある。
【０００４】
【特許文献１】特開２００３−２７４５３８号公報
【発明の開示】
【発明が解決しようとする課題】
【０００５】
本発明は前記問題に鑑みてなされたものであり、リレーの端子と接続する電線端末の端子が挿入係止されるキャビティ内に前記電線端末の端子を挿入する際、前記キャビティ内のランス部を直接目視して確認しなくても、挿入させる前記電線端末の端子の向きを容易に判断でき、その結果、端子の挿入作業性を向上させると共に、前記キャビティ内に設けられたランス部を前記電線端末の端子に確実に係止させて端子抜けの発生を防止することを課題としている。
【課題を解決するための手段】
【０００６】
前記課題を解決するため、本発明は、差込型のリレーの端子と接続する電線端末の端子が挿入されるキャビティを備え、該キャビティを囲む周壁の一側内面の中央から前記電線端末の端子を係止するランス部が突設されている電気接続箱において、
前記端子の挿入側開口を囲む前記キャビティの周壁端面に、前記ランス部の突設位置を示すランス位置表示用の凸部あるいは凹部を設けていることを特徴とする電気接続箱を提供している。
【０００７】
前記構成によれば、挿入側開口を囲むキャビティの周壁端面にランス位置表示用の凸部あるいは凹部を設けることによって、作業者は体勢を変えることなく通常の姿勢のままで、前記ランス位置表示用の凸部あるいは凹部を目視することができ、挿入すべき端子の向きを容易に判断することができる。よって、作業者がキャビティ奥のランス部の位置を覗き込んで確認する必要がなくなり、また、端子の誤挿入によるやり直し作業も不要になるため、端子の挿入作業性を向上させることができる。さらに、電線端末の端子を正しい向きで挿入できるため、キャビティ内に設けられたランス部に前記電線端末の端子を確実に係止させ、端子抜けの発生を防止することができる。
【０００８】
前記ランス位置表示用の凸部は、前記ランス部の突設位置の延長線上に位置させ、前記挿入側開口を囲む周壁の一側内面の中央から突設していることが好ましい。
前記のように、ランス位置表示用の凸部をランス部の突設位置の延長線上に位置させることにより、ランス位置が明確かつ直感的に認識できるので、端子の挿入作業性をより高めることができる。
なお、前記ランス位置表示用の凸部は、ランス部の突設位置から挿入側開口まで連続的に設けてもよいが、ランス部に連続した凸部がランス部のたわみ具合いに影響を及ぼしてしまう場合もあるため、前記凸部をランス部とは切り離して設けることが好ましい。
【０００９】
前記ランス位置表示用の凸部の寸法としては、目視ができ、かつ、端子挿入の障害とならない程度の寸法であれば特に限定されるものではなく、例えば、凸部の高さを１ｍｍ、幅を１ｍｍ、端子挿入方向の長さを４ｍｍ程度とすることが好ましい。
【００１０】
また、前記ランス位置表示用の凸部あるいは凹部は、前記ランス部を突設した一側壁と直交方向の周壁で且つ前記一側壁との連結位置に設けられていてもよい。
ＩＳＯリレー等の標準的なリレーの端子配置に対応するキャビティでは、キャビティの長辺と、隣接するキャビティの長辺とが隣り合う配置となるため、例えば、前記ランス位置表示用の凸部あるいは凹部を、ランス部が突設される長辺側一側壁の上端面などに設けておくと、どちらのキャビティのランス位置を表示しているのか判断に迷う場合がある。
したがって、前記のように、ランス位置表示用の凸部あるいは凹部を、前記ランス部を突設した一側壁と直交方向の周壁で且つ前記一側壁との連結位置に設けることによって、どちら側のキャビティのどの側壁にランス部が設けられているのかを明確に認識することができる。
【００１１】
さらに、前記ランス位置表示用の凸部あるいは凹部は、前記ランス部を突設した一側壁と直交方向の周壁の開口側上端面に設けられることがより好ましい。前記のように、前記ランス部を突設した一側壁と直交方向の周壁の開口側上端面に、前記ランス位置表示用の凸部あるいは凹部を設けることによって、容易に前記凸部あるいは凹部を目視することができると共に、前記ランス位置表示用の凸部が端子挿入の障害となることもなく、電線端末の端子をキャビティ内にスムーズに挿入することができる。
【００１２】
前記ランス部を突設した一側壁と直交方向の周壁の開口側上端面に設けるランス位置表示用の凸部および凹部の寸法は目視ができる程度であれば特に限定されないが、例えば、凸部の寸法としては、高さを２ｍｍ程度、幅（ランス部を突設した一側壁と直交方向の長さ）を１．５ｍｍ程度とし、奥行きは、ランス部を突設した一側壁と直交方向の周壁の厚みと同じとすることが好ましい。また、凹部の寸法としては、例えば、深さを５ｍｍ程度、幅（ランス部を突設した一側壁と直交方向の長さ）を２ｍｍ程度とし、奥行きは、ランス部を突設した一側壁と直交方向の周壁の厚みと同じとすることが好ましい。
【００１３】
前記キャビティ内に挿入される前記電線端末に接続される端子は、電線圧着部に連続する電気接続部が平板部の両端から円弧状の折返部を設けた厚みの小さいファストンタイプであり、該ファストンタイプの端子を係止する前記ランス部は、前記折返部の電線圧着部側の先端に係止される小突起からなることが好ましい。
【００１４】
前記のように、電線端末に接続される端子がファストンタイプのメス端子であり、該端子を係止するランス部が端子の折返部の電線圧着部側の先端に係止される小突起からなる場合、前記端子が挿入係止されるキャビティの形状は扁平な長方形形状で、ランス部も小さいため、このようなキャビティのランス部を目視によって確認することは極めて困難な作業である。したがって、ファストンタイプの端子を挿入するキャビティの挿入側開口を囲む周壁に、前記のようなランス位置表示用の凸部あるいは凹部を設けることにより、ランス部の位置が一目瞭然に認識でき、挿入すべき端子の向きが容易に判断できる。よって、端子の挿入作業性を大幅に向上させると共に、端子抜けの発生も効果的に防止することができる。
【発明の効果】
【００１５】
前述したように、本発明によれば、挿入側開口を囲むキャビティの周壁端面にランス位置表示用の凸部あるいは凹部を設けることによって、作業者は体勢を変えることなく通常の姿勢のままで、前記ランス位置表示用の凸部あるいは凹部を目視することができ、挿入すべき端子の向きを容易に判断することができる。したがって、作業者がキャビティの奥のランス部の位置を覗き込んで確認する必要がなくなり、また、端子の誤挿入によるやり直し作業も不要になるため、端子の挿入作業性を向上させることができる。さらに、電線端末の端子を正しい向きで挿入できるため、キャビティ内に設けられたランス部に前記電線端末の端子を確実に係止させ、端子抜けの発生も防止することができる。
【００１６】
また、前記のように、ランス位置表示用の凸部をランス部の突設位置の延長線上に位置させることにより、ランス位置が明確かつ直感的に認識できるので、端子の挿入作業性をより高めることができる。
さらに、前記のように、ランス位置表示用の凸部あるいは凹部を、前記ランス部を突設した一側壁と直交方向の周壁で且つ前記一側壁との連結位置に設けるようにしても、どちら側のキャビティのどの側壁にランス部が設けられているのかを明確に認識することができ、端子の挿入作業性をより高めることができる。
【００１７】
特に、電線端末に接続される端子がファストンタイプのメス端子であり、該端子を係止するランス部が小突起からなる場合、前記端子が挿入係止されるキャビティの形状は扁平な長方形形状で、ランス部も小さいため、このようなキャビティのランス部を目視によって確認することは非常に困難な作業となる。しかしながら、本発明ではファストンタイプの端子を挿入するキャビティの挿入側開口を囲む周壁に、前記のようなランス位置表示用の凸部あるいは凹部を設けることにより、ランス部の位置が一目瞭然に認識でき、挿入すべき端子の向きが容易に判断できる。よって、端子の挿入作業性を大幅に向上させると共に、端子抜けの発生も効果的に防止することができる。
【発明を実施するための最良の形態】
【００１８】
以下、本発明の実施形態を図面を参照して説明する。
図１乃至図３は本発明の第１実施形態を示している。図１は電気接続箱のケース１０を底面側から見た図であり、図１に示すように、電気接続箱のケース１０には複数のリレー用のキャビティ１１を設けており、ケース１０の上面側から差し込まれるリレー（図示せず）の各端子と接続する電線ｗ端末の端子１５が、ケース１０の底面側から各キャビティ１１内に挿入される。
【００１９】
電線ｗ端末に接続される端子１５は、図２に示すように、電線圧着部１５ａに連続する電気接続部１５ｂが平板部１５ｂ−１の両側から円弧状の折返部１５ｂ−２を設けた厚みの小さなファストンタイプの端子であり、本実施形態ではマイクロＩＳＯコイル用端子を用いている。
【００２０】
図３に示すように、各キャビティ１１を囲む周壁のうち、長辺の一側壁１２ａ内面には、キャビティ１１に挿入される電線ｗ端末の端子１５を係止するためのランス部１３をそれぞれ突設している。
即ち、図４に示すように、電線ｗ端末の端子１５の折返部１５ｂ−２がランス部１３に対向するような向きで、端子１５がキャビティ１１の挿入側開口１１ａより矢印方向に挿入されると、ランス部１３先端の小突起１３ａが、端子１５の折返部１５ｂ−２の電線圧着部１５ａ側先端に係止して、電線ｗ端末の端子１５をキャビティ１１内に保持する構造となっている。
【００２１】
また、図３に示すように、各キャビティ１１のランス部１３の突設位置の延長線上で、挿入側開口１１ａを囲む周壁の一側壁１２ａ内面の中央から、ランス位置表示用の凸部１４を突設している。なお、本実施形態においては、ランス位置表示用凸部１４をランス部と切り離して配置し、ランス位置表示用の凸部１４の高さ（一側壁１２ａ内面からの突出量）を１ｍｍ、幅を１ｍｍ、端子挿入方向の長さを４ｍｍとして、ランス位置表示用の凸部１４が、電線ｗ端末の端子１５の挿入の障害とならず、かつ容易に目視できるサイズとしている。
【００２２】
前記のように、ランス部１３の突設位置の延長線上で、挿入側開口１１ａを囲む周壁の一側壁１２ａ内面の中央から、ランス位置表示用の凸部１４を突設することによって、作業者は体勢を変えることなく通常の姿勢のままで、ランス位置表示用の凸部１４を目視でき、ランス部１３の位置を直感的かつ明確に認識することができる。したがって、挿入すべき端子１５の向き、即ち、ランス位置表示用の凸部１４に、端子１５の折返部１５ｂ−２を対向させるようにして端子１５を挿入すればよいことが容易に判断できる。したがって、作業者がキャビティ１１奥のランス部１３の位置を覗き込んで確認する必要がなくなり、また、端子１５の誤挿入によるやり直し作業も不要になるため、端子１５の挿入作業性を向上させることができる。さらに、電線端末ｗの端子１５を正しい向きで挿入できるため、ランス部１３の小突起１３ａを、端子１５の折返部１５ｂ−２の電線圧着部１５ａ側先端に確実に係止させることができ、端子抜けの発生を防止することができる。
【００２３】
図５に第２実施形態を示す。
第２実施形態では、図５に示すように、ランス位置表示用凸部１４をランス部１３の突設位置から挿入側開口１１ａまで連続的に設け、その他の点は第１実施形態と同様としている。
【００２４】
第２実施形態においても、第１実施形態と同様に、ランス位置表示用の凸部１４によってランス部１３の位置を明確に認識することができるため、挿入すべき端子１５の向きを容易に判断でき、端子１５の挿入作業性を高めると共に、端子抜けの発生を防止することができる。
【００２５】
図６に第３実施形態を示す。
第３実施形態では、図６に示すように、各キャビティ１１のランス部１３を突設した一側壁１２ａと直交方向の周壁１２ｂの開口側上端面で、一側壁１２ａとの連結位置に、ランス位置表示用の凸部１６を設けている。本実施形態においては、ランス位置表示用の凸部１６の高さを２ｍｍ、幅（周壁１２ｂ方向の長さ）を１．５ｍｍとし、奥行きは周壁１２ｂの厚みと同じとしている。
その他の点は第１実施形態と同様としている。
【００２６】
前記のように、ランス部１３を突設した一側壁１２ａと直交方向の周壁１２ｂの開口側上端面で、一側壁１２ａとの連結位置に、ランス位置表示用の凸部１６を設けることによって、どちら側のキャビティのどの側壁にランス部１３が設けられているのかを明確に認識できるので、挿入すべき端子１５の向きを容易に判断でき、端子１５の挿入作業性を高めることができると共に、端子抜けの発生も防止することができる。
【００２７】
図７に第４実施形態を示す。
第４実施形態では、図７に示すように、各キャビティ１１のランス部１３を突設した一側壁１２ａと直交方向の周壁１２ｂの開口側上端面で、一側壁１２ａとの連結位置に、ランス位置表示用の凹部１７を設けている。本実施形態においては、ランス位置表示用の凹部１７の深さを５ｍｍ、幅（周壁１２ｂ方向の長さ）を２ｍｍとし、奥行きは周壁１２ｂの厚みと同じとしている。
その他の点は第３実施形態と同様としている。
【００２８】
第４実施形態においても、第３実施形態と同様、ランス位置表示用の凹部１７によって、どちら側のキャビティのどの側壁にランス部１３が設けられているのかを明確に認識できるので、挿入すべき端子１５の向きを容易に判断でき、端子１５の挿入作業性を高めることができると共に、端子抜けの発生も防止することができる。
【図面の簡単な説明】
【００２９】
【図１】第１実施形態における電気接続箱のケース（底面側）の要部拡大図である。
【図２】電線端末に接続された端子を示す概略斜視図であり、（Ａ）は折返部側から見た図であり、（Ｂ）は平板部側から見た図である。
【図３】第１実施形態におけるキャビティを示す図であり、（Ａ）は平面図であり、（Ｂ）はＡ−Ａ断面図である。
【図４】ランス部が電線端末の端子に係止している状態を示す図である。
【図５】第２実施形態におけるキャビティを示す図であり、（Ａ）は平面図であり、（Ｂ）はＡ−Ａ断面図である。
【図６】第３実施形態におけるキャビティを示す図であり、（Ａ）は平面図であり、（Ｂ）は正面図である。
【図７】第４実施形態におけるキャビティを示す図であり、（Ａ）は平面図であり、（Ｂ）は正面図である。
【図８】従来例を示す図である。
【符号の説明】
【００３０】
１０  ケース
１１  キャビティ
１１ａ  挿入側開口
１２ａ  ランス部を突設した一側壁
１２ｂ  ランス部を突設した一側壁と直交方向の周壁
１３  ランス部
１３ａ  小突起
１４、１６  ランス位置表示用の凸部
１５  端子
１５ａ  電線圧着部
１５ｂ  電気接続部
１５ｂ−１  平板部
１５ｂ−２  折返部
１７  ランス位置表示用の凹部
【図１】
2008092615.tif 000003
【図２】
2008092615.tif 000004
【図３】
2008092615.tif 000005
【図４】
2008092615.tif 000006
【図５】
2008092615.tif 000007
【図６】
2008092615.tif 000008
【図７】
2008092615.tif 000009
【図８】
2008092615.tif 000010